(57)【要約】【課題】水晶振動素子を装着したセラミック基板の下面に、発振回路用ＩＣを装着し、下面に入出力パッド電極とＩＣの調整用電極を有するセラミック枠体を固着してその周囲を囲む構造の水晶発振器は、小型化が困難である。【解決手段】水晶振動素子１３を上面に密封したセラミック基板１１の下面の一辺とこれに対向する他の一辺に沿って下面に入出力パッド電極１７を有するセラミック台座１５をそれぞれ固着し、これらのセラミック台座１５間に、下面に調整用電極１８を有する発振回路用ＩＣ１６を装着する。【選択図】図１
2004146966.tif 000002
【特許請求の範囲】
【請求項１】
上面に凹部を有するセラミック容器の前記セラミック容器の前記凹部内に圧電振動素子を収容し蓋にて前記凹部の開口部分を密封すると共に、前記セラミック容器の下面に複数のセラミック台座が所定の間隙を隔して設けられ、前記セラミック容器下面の前記セラミック台座間に発振回路用ＩＣを搭載したものであって、搭載した前記発振回路用ＩＣの表面には外部から情報を書き込むためのパッド電極が備えられていることを特徴とする圧電発振器の構造。
【請求項２】
前記セラミック台座はセラミック容器下面に搭載した発振回路用ＩＣより下方に突出しており、下面には表面実装用の入出力用パッド電極が設けられていることを特徴とする請求項１に記載の圧電発振器の構造。
【請求項３】
前記セラミック容器の平面形状が矩形であり、前記セラミック台座がセラミック容器下面の対抗する２辺に沿って配置されていることを特徴とする請求項１または請求項２に記載の圧電発振器の構造。
【請求項４】
前記発振回路用ＩＣ表面のパッド電極が温度補償用のデータを書き込むためのものであることを特徴とする請求項１乃至請求項３のいずれかにに記載の圧電発振器の構造。
【発明の詳細な説明】
【０００１】
【発明の属する技術分野】
本発明は、携帯無線端末等に使用される水晶発振器に関し、特に小型化された水晶発振器の構造に関する。
【０００２】
【従来の技術】
近年、無線通信機器、特に携帯無線端末の高機能化と小型軽量化が進められ、それに使用される部品に対しても小型化への要望が極めて強くなっている。そして、携帯無線端末に広く使用される水晶発振器においても同様に、小型化が図られている。例えば、特開２０００−１０１３４９号公開公報には、上面に圧電振動子を、下面に発振回路用ＩＣを収容した構造の水晶発振器が開示されている。図２は、従来の水晶発振器の一例を示す構造図で、（ａ）は、縦断面図、（ｂ）は、下面図である。
同図に示すように、本水晶発振器２０は、平面形状が矩形のセラミック基板２１と該セラミック基板２１上面に固定したシールリング２２とで形成した凹部に水晶振動素子２３を装着して金属蓋２４で前記凹部の開口部を密封し、また、前記セラミック基板２１下面の周縁に沿って、下面に表面実装用の入出力パッド電極２５と調整用電極２８とを備えた環状のセラミック枠体２６を固着し、該セラミック枠体２６で囲まれた前記セラミック基板２１下面に発振回路用のＩＣ２７を装着した構造となっている。
【０００３】
前記入出力パッド電極２５はセラミック枠体２６の下面四隅に設けられ、また、前記調整用電極２８は、セラミック枠体２６下面の隣接する入出力パッド電極２５の間に設けられており、前記入出力パッド電極２５と調整用電極２８とは、それぞれ図示しない内部接続導体で前記ＩＣ２７と接続されている。
本水晶発振器２０が、例えば温度補償型水晶発振器の場合、前記ＩＣ２７は発振回路のほかに、温度補償回路、メモリ及び付随する回路を備えている。そして、本水晶発振器の製造時、組立て後の調整においてデータ書き込み治具の接続端子が前記調整用電極２８に接続され、温度補償データが前記調整用電極２８よりＩＣ２７のメモリに書き込まれる。
本水晶発振器２０を携帯無線端末等の装置に使用する場合は、装置の印刷配線基板等の回路パターンに前記入出力パッド電極２５がはんだ付けされて使用される。
【０００４】
【発明が解決しようとする課題】
しかしながら、上記構造の水晶発振器２０においては、調整用電極２８がセラミック枠体２６の下面に設けられているため、本発振器２０を携帯無線端末等の装置の印刷配線基板の回路パターンにはんだ付けすると、本水晶発振器２０の調整用電極２８は、前記印刷配線基板と接触するので、前記印刷配線基板上の調整用電極２８に対面する部分には、回路パターンを設けないように設計する必要があり、装置の印刷配線基板の設計に制約が加わるという問題がある。この問題に対して、前記調整用電極２８をセラミック基板２１側面に設ける手段が考えられるが、この場合は該調整用電極２８がシールリング２２と接触してしまうことになる。
また、前記セラミック基板２１に装着したＩＣ２７の周囲には、入出力パッド電極２５と調整用電極２８を有するセラミック枠体２６が固着されているので、本水晶発振器２０の下面面積が大きくなり、本水晶発振器２０の小型化を妨げる原因となっている。
本発明は、上記課題を解決するためになされたものであって、水晶発振器を使用する装置の印刷配線基板に影響を与えることなく、且つ、更に小型化が可能となる構造の水晶発振器を提供することを目的とする。
【０００５】
【課題を解決するための手段】
上記課題を解決するために、請求項１の発明における圧電発振器の構造は、上面に凹部を有するセラミック容器の前記セラミック容器の前記凹部内に圧電振動素子を収容し蓋にて前記凹部の開口部分を密封すると共に、前記セラミック容器の下面に複数のセラミック台座が所定の間隙を隔して設けられ、前記セラミック容器下面の前記セラミック台座間に発振回路用ＩＣを搭載したものであって、搭載した前記発振回路用ＩＣの表面には外部から情報を書き込むためのパッド電極が備えられていることを特徴とする。
請求項２の発明における圧電発振器の構造は、請求項１に記載の圧電発振器であって、前記セラミック台座はセラミック容器下面に搭載した発振回路用ＩＣより下方に突出しており、下面には表面実装用の入出力用パッド電極が設けられていることを特徴とするの構造。
また、請求項３の発明における圧電発振器の構造は、請求項１または請求項２に記載の圧電発振器であって、前記セラミック容器の平面形状が矩形であり、前記セラミック台座がセラミック容器下面の対抗する２辺に沿って配置されていることを特徴とする。
さらに、請求項４の発明における圧電発振器の構造は、請求項１乃至請求項３のいずれかにに記載の圧電発振器であって、前記発振回路用ＩＣ表面のパッド電極が温度補償用のデータを書き込むためのものであることを特徴とする。
【０００６】
【発明の実施の形態】
以下、本発明を図面に示した実施の形態に基づいて説明する。
図１は、本発明に係わる水晶発振器の実施の一形態例を示す構造図で、（ａ）は縦断面図、（ｂ）は下面図である。
同図に示すように、本水晶発振器１０は、セラミック基板１１と、シールリング１２と、水晶振動素子１３と、金属蓋１４と、セラミック台座１５と、ＩＣ１６とで構成される。
そして、平面形状が矩形の前記セラミック基板１１の上面縁端全周に亘ってシールリング１２が固定され、該シールリング１２とセラミック基板１１とで構成される凹部に水晶振動素子１３が装着され、前記凹部の開口部が前記金属蓋１４で密封される。
また、前記セラミック基板１１の下面には、該セラミック基板１１下面の一辺とこれに相対する他の一辺に沿って、下面に入出力パッド電極１７を有するセラミック台座１５がそれぞれ固着される。そして、これらの２条のセラミック台座１５間のセラミック基板１１下面に前記発振回路用のＩＣ１６がはんだ付けされ、さらに、該ＩＣ１６は接着剤（図示しない）で前記セラミック基板１１下面に接着される。
前記２条のセラミック台座１５は、それら間に装着されたＩＣ１６より下方に突き出る大きさに形成されている。
【０００７】
前記ＩＣ１６の下面には、該ＩＣ１６内の調整用回路と図示しない内部接続導体で接続された調整用電極１８が設けられており、本水晶発振器１０の組立て後の調整時に、例えば、本水晶発振器１０が温度補償型水晶発振器の場合、データ書き込み治具の接続端子が前記調整用電極１８に接続されて、温度補償データがＩＣ１６のメモリに書き込まれる。
本水晶発振器１０を携帯無線端末等の装置に使用する場合は、装置の印刷配線基板等の回路パターンに前記入出力パッド電極１７をはんだ付けして使用する。その場合、本水晶発振器１０の前記ＩＣ１６の調整用電極１８は、セラミック台座１５より低背であるので、装置の印刷配線基板等に接触することはない。
なお、前記セラミック台座１５は、前記出力パッド電極１７を設けるに必要な下面の面積を有すればよく、したがって、下面に入出力パッド電極をもつ柱状の部材や金属ボールで前記セラミック台座１５の代替とすることが可能である。
【０００８】
【発明の効果】
以上説明したように、本発明の圧電発振器の構造によれば、携帯無線端末等の装置の印刷配線基板等の回路パターンに、圧電発振器のセラミック台座下面に設けられた入出力パッド電極をはんだ付けしても、該セラミック台座の下面がＩＣより下方に突出しているので、従来のように、ＩＣの調整用電極が装置の印刷配線基板等に接触することはなく、装置の印刷配線基板等の設計に制約を及ぼすことがない。
更に、従来のようにセラミック基板下面のＩＣの周囲に環状のセラミック枠体を固着することなく、圧電発振器の入出力パッド電極を下面に有するセラミック台座を、セラミック基板下面の相対する一辺と対向する他の一辺に沿ってそれぞれ固着するようにしたので、セラミック基板の面積を極めて小さくすることが可能となる。
したがって、本発明の圧電発振器よれば、小型で、本圧電発振器を使用する側の設計に制約を加えることのない圧電発振器を提供する上で大いに効果がある。
【図面の簡単な説明】
【図１】本発明に係わる水晶発振器の実施の一形態例を示す構造図で、（ａ）は側面断面図、（ｂ）は下面図。
【図２】従来の水晶発振器の構造の一例を示す構造図で、（ａ）は、側面断面図、（ｂ）は、下面図。
【符号の説明】
１０・・水晶発振器、　　１１・・セラミック基板、１２・・シールリング、
１３・・水晶振動素子、　１４・・金属蓋、　　　１５・・セラミック台座、
１６・・ＩＣ、　１７・・入出力パッド電極、　　１８・・調整用電極、
２０・・水晶発振器、　　２１・・セラミック基板、２２・・シールリング、
２３・・水晶振動素子、　２４・・金属蓋、　　２５・・入出力パッド電極、
２６・・セラミック枠体、２７・・ＩＣ、　　　２８・・調整用電極
【図１】
2004146966.tif 000003
【図２】
2004146966.tif 000004